(57)【要約】【課題】  使用者の望む姿勢を自由自在に取ることができ、使用者が前方に体を傾ける時にも足と脹脛筋肉とにかかる負荷を軽減させ、望む技巧を高精度に爪先まで伝達することができるよう踵を靴底に固定するレジャースポーツ用靴における足の甲締め付け装置を提供する。【解決手段】  本発明は、ブーツの靴底と、ブーツ上端のブーツ甲皮縁と、靴底とブーツ甲皮縁との間に延長されるブーツ甲皮と、ブーツ甲皮縁の内側に設けられる足の甲保護甲皮と、ブーツ甲皮縁の間をジグザグに連結する締め紐とから構成されるレジャースポーツ用ブーツにおいて、足の甲保護甲皮の内側に設けられて足の甲を靴底に向けて押圧する足の甲締め付け台と、足の甲締め付け台を通過して足の甲締め付け台を足の甲に向けて引き締めて踵を靴底に密接させるよう固定するワイヤと、ワイヤの両端と連結されてワイヤを選択的に引き締めたり、解除したりするワイヤ固定装置と、からなる。【選択図】  図３
2006055571.tif 000002
【特許請求の範囲】
【請求項１】
ブーツの底をなす靴底と、ブーツの上端を形成しその前面は略Ｕ字状をなすブーツ甲皮縁と、前記靴底とブーツ甲皮縁との間に延長されかつ外観を形成する外側甲皮と、足と当接する内側甲皮とからなるブーツ甲皮と、前記略Ｕ字状のブーツ甲皮縁の内側に設けられる足の甲保護甲皮と、前記足の甲保護甲皮の外側で前記ブーツ甲皮縁の間をジグザグに連結する締め紐から構成されるレジャースポーツ用ブーツにおいて、
前記足の甲保護甲皮の内側に設けられて足の甲を足底に向けて押圧する足の甲締め付け台と、
前記足の甲締め付け台を通過し、前記足の甲締め付け台を足の甲に向けて引き締め、踵を靴底に密接させるよう固定するワイヤと、
前記ワイヤの両端と連結されて前記ワイヤを選択的に引張ったり、解除したりするワイヤ固定装置からなることを特徴とする踵を靴底に固定するレジャースポーツ用靴における足の甲締め付け装置。
【請求項２】
前記ブーツの底には左右を貫通する一組の靴底孔が備われ、前記ブーツの内側甲皮下端と後方には下端孔と後方孔とがそれぞれ一組づつ備われ、前記ブーツの内側甲皮の一側上方に四個の孔が成形され、且つ前記四個の孔を通過するワイヤにはワイヤ固定装置が設けられ、前記ワイヤが下端孔と後方孔の内側を通過し、ブーツの内側には前記下端孔と後方孔とを貫通するワイヤが足の甲締め付け台を牽引するようになされていることを特徴とする請求項１に記載の踵を靴底に固定するレジャースポーツ用靴における足の甲締め付け装置。
【請求項３】
前記ワイヤ固定装置は、円形の内側プレートと、前記内側プレートに対して相対回転運動する円形の外側プレートからなり、前記内側プレート内部には複数の回転ギアが設けられて、前記外側プレートを時計方向に回転するとワイヤが内側プレート内部に牽引されてワイヤが締め付けられ、且つ、外側プレートを内側プレートの外側に向けて引張ると、前記回転ギアの回転が解除されてワイヤが解けることを特徴とする請求項１又は２に記載の踵を靴底に固定するレジャースポーツ用靴における足の甲締め付け装置。
【請求項４】
前記ワイヤの外側には、ワイヤの摩擦抵抗を最小化するためにチューブがさらに設けられることを特徴とする請求項１又は２に記載の踵を靴底に固定するレジャースポーツ用靴における足の甲締め付け装置。
【請求項５】
ブーツの底をなす靴底と、ブーツの上端を形成してその前面は略Ｕ字状をなすブーツ甲皮縁と、前記靴底とブーツ甲皮縁との間に延長されかつ外観を形成する外側甲皮と、足と密接する内側甲皮とからなるブーツ甲皮と、前記略Ｕ字状のブーツ甲皮縁の内側に設けられる足の甲保護甲皮と、前記足の甲保護甲皮の外側で前記ブーツ甲皮縁の間をジグザグに連結する締め紐から構成されるレジャースポーツ用ブーツにおいて、
一側は両側靴底の端に固定され、他側はリング部材を備える一組のバンド固定部と、
所定長さでなされて、中間一側は前記リング部材を通過し、両端は前記ブーツ甲皮縁を貫通して、ブーツ甲皮の外側に向けて摺動可能であり、前記締め紐が前記両端を通過することができるよう設けられ、締め紐が引張れる時に外側に牽引される移動圧迫バンドからなる踵を靴底に固定するレジャースポーツ用靴における足の甲締め付け装置。
【請求項６】
前記バンド固定部は、一側がブーツ甲皮の下段部の端に固定されること特徴とする請求項５に記載の踵を靴底に固定するレジャースポーツ用靴における足の甲締め付け装置。
【請求項７】
ブーツの底をなす靴底と、ブーツ上端を形成しその前面は略Ｕ字状をなすブーツ甲皮縁と、前記靴底とブーツ甲皮縁との間に延長されかつ外観を形成する外側甲皮と、足と密接する内側甲皮とからなるブーツ甲皮と、前記略Ｕ字状のブーツ甲皮縁の内側に設けられる足の甲保護甲皮と、前記足の甲保護甲皮の外側で前記ブーツ甲皮縁の間をジグザグに連結する締め紐から構成されるレジャースポーツ用ブーツにおいて、
一端は一側靴底の端に固定され、且つ、他端はブーツ甲皮縁を貫通しブーツ甲皮の外側に向けて摺動される所定長さの足の甲圧迫バンドと、
一端は他側靴底の端に固定され、且つ、他端は環状のリング形状をなしていて、前記足の甲圧迫バンドが前記リングを通過する連結リング部材と、
前記足の甲圧迫バンドの端部と中央一側とにそれぞれ設けられる結合部材からなることを特徴とする踵を靴底に固定するレジャースポーツ用靴における足の甲締め付け装置。
【請求項８】
前記結合部材は、雌雄一対のベルクロテープであることを特徴とする請求項７に記載の踵を靴底に固定するレジャースポーツ用靴における足の甲締め付け装置。
【請求項９】
前記足の甲圧迫バンドは、一端が、一側ブーツ甲皮の下段部の端に固定されることを特徴とする請求項７又は８に記載の踵を靴底に固定するレジャースポーツ用靴における足の甲締め付け装置。
【請求項１０】
靴底と甲皮とにより形成されるブーツにおいて、
前記甲皮外側に設けられ、足の甲を靴底に向けて押圧する足の甲締め付けバンドと、
前記足の甲締め付けバンドを通過して、該足の甲締め付けバンドを足の甲に向けて引き締めて、踵を靴底に確実に固定せしめるワイヤと、
前記ワイヤの両端に連結されて、前記ワイヤを選択的に引き締めたり、解除したりするワイヤ固定装置からなること特徴とする踵を靴底に固定するレジャースポーツ用靴における足の甲締め付け装置。
【請求項１１】
前記足の甲締め付けバンドが、前記甲皮の内側に設けられることを特徴とする請求項１０に記載の踵を靴底に固定するレジャースポーツ用靴における足の甲締め付け装置。
【発明の詳細な説明】
【技術分野】
【０００１】
本発明は、踵を靴底に固定すべきレジャースポーツ用靴の足の甲締め付け装置に関するものであって、さらに詳細なことには、体重移動や上下左右に足が動かれることによって、スピードや方向が調節され得るスノーボードに於いて、特にブーツ内で足が任意に動かれるとエッジ調節を上手に行うことができないため、足とブーツとが密接に保持され得るようブーツ内で足首の上部を固定する固定帯を締め付け可能にする足の甲締め付け装置に関する。
【背景技術】
【０００２】
スノーボードの人気は毎年増加しつつ、最近、レジャースポーツとして広く普及されてきた。また、レジャースポーツとしての人気が増えるにつれ高度の動作のための装備が多く求められている。
【０００３】
図１にはスノーボード上に取り付けられたブーツの構成が斜視図で示されている。スノーボード１０上にはブーツ２０を着脱するためにバインダー３０が用いられている。
【０００４】
即ち、スキー場で移動する時にはブーツ２０をスノーボード１０から取り外し持ち歩きながら、スノーボード１０に再び乗る時にはブーツ２０をスノーボード１０上にまた装着する。この際にバインダー３０が用いられるのである。
【０００５】
特に、スノーボード１０上に一組で固定されてブーツを縛るバンドからなされた前記バインダー３０は、図１に示されたように、スノーボード１０上に固定形成されるフレーム３２と、該フレーム３２と組み合いかつブーツ２０のヒールを覆うバックサポート３４と、前記フレーム３２及び、バックサポート３４に延長、結合及び分離可能な状態に結合された複数のバンド３６、３８からなる。
【０００６】
即ち、ブーツ２０のヒールがバックサポート３４に密着された状態のままフレーム３２上に着かれ、且つ、このような状態で複数のバンド等３６、３８を着脱具４０の結合により伸縮あるいは延長せしめることによって、ブーツ２０をスノーボード１０上に組合わせることとなる。
【０００７】
また、スノーボード１０を楽しめるために、前記ブーツ２０を履く前に足首を保護するためにライナー５０を重ねて履く。ライナー５０を履きライナー５０の紐（図示せず）を締め付けて、ライナー５０と足とを密接に保持する。
【０００８】
前記の如く、スノーボード１０を効果的に楽しめるために足首上部を保護するライナー５０を重ねて履いた状態で紐（図示せず）を締め付けて、足とライナー５０との遊びを防止し、且つ、ライナー５０を履いた状態でブーツ２０を重ねて履き、締め紐６０を締め付けるによって、足とライナー５０、そしてブーツを密接にさせる。それから、バインダー３０でブーツ２０をスノーボード１０上に取り付けると、足、ライナー５０、バインダー３０、ブーツ２０、そしてスノーボード１０とが一体に密着結合され、乗り手の望む通りにスノーボード乗りを楽しむことができる。
【発明の開示】
【発明が解決しようとする課題】
【０００９】
しかしながら、スノーボード１０に乗って雪の斜面を滑降する時、  一つの姿勢のみでスノーボード１０に乗るだけでなく、方向を変えたり、速度を出したりするなど、多様な方向に体を傾けるようになる。特に、抵抗を最小限にさせながら速度を出そうとする場合、雪面上でスノーボード１０は乗り手の前方や後方に一定な角度を保ちながら傾けて滑降されるようになり、これによって足首や爪先の方に集中的に負荷がかけられるようになる。
【００１０】
乗り手が、後方に体を傾け後側若しくは踵側の回転を試そうとしてスノーボード１０の一側端を傾ける時には、脹脛部位にサポータを設けて筋肉の負担を軽減させ得るが、反対に、前側あるいは爪先側の回転を試そうとしてスノーボード１０の他側端を傾ける時には、図２ｂに示されたように、踵がブーツ２０の底から離れ、望むとおりにスノーボード１０が乗り手の前側に傾かないと共に、脹脛筋肉に相当な負担が強いられる。
【００１１】
特に、踵が靴底から離れ、踵とブーツ底との間に遊びが生じた場合には急速回転などのような足首や足に高度の力が求められる自由型姿勢においては相当不利であり、多様かつ高度の技術を具現しがたい。
【００１２】
そして、足首や脹脛部位の筋肉のみ集中的に使用すると、怪我さえ生じられる惧れがあり、さらに危険な状況に面した場合には大きな事故が発生され得る問題点らを抱えていた。
【００１３】
また、ゴルフや山登りあるいはインラインスケートなどを楽しむ場合にも前述した問題等が生じ得る。
【００１４】
ゴルフは、両足を地面に固定したまま、腰と肩のみを動いてスイングするものであって、両足が地面から離れたり、動いたりすると安定な姿勢を取り難い。特に、素人の場合、うっかりと爪先方向に力を加えてスイングすると踵がゴルフ靴のソールから離れて安定的な姿勢をとることができない。
【００１５】
登山靴の場合も同様である。いくら登山靴の紐を締め付けたとしても、勾配に登る時に踵が靴底から分離されるため、足の甲と足首部位に負担が強いられる。
【００１６】
本発明は、前述した従来技術の問題点等を解決すべき発明されたものであって、本発明の目的は、使用者が望む姿勢を自由自在にとることができ、使用者の前方に体を傾ける時にも、足とブーツとが密接に保持されて、足首と脹脛筋肉における負荷を軽減させ、望む技巧を高精度に爪先まで伝達することができるよう踵を靴底に固定するレジャースポーツ用靴の足の甲締め付け装置を提供することにある。
【課題を解決するための手段】
【００１７】
前述した目的等を達成するための本発明の特徴によると、本発明は、ブーツの底をなす靴底と、ブーツの上端を形成してその前面は略Ｕ字状をなすブーツ甲皮縁と、前記靴底とブーツ甲皮縁との間に延長されかつ外観を形成する外側甲皮と、足と当接する内側甲皮とからなるブーツ甲皮と、前記略Ｕ字状のブーツ甲皮縁の内側に設けられる足の甲保護甲皮と、前記足の甲保護甲皮の外側で前記ブーツ甲皮縁の間をジグザグに連結する締め紐から構成されるレジャースポーツ用ブーツにおいて、
前記足の甲保護甲皮の内側に設けられて足の甲を靴底に向けて押圧する足の甲締め付け台と、該足の甲締め付け台を通過して前記足の甲締め付け台を足の甲に向けて引き締め、踵を靴底に密接させるよう固定するワイヤと、該ワイヤの両端に連結されて、前記ワイヤを選択的に引き締めたり、解除したりするワイヤ固定装置と、からなる。
【００１８】
前記ブーツの底には左右を貫通する一組の靴底孔が備われ、前記ブーツの内側甲皮下端と後方には孔がそれぞれ一組づつ備われ、前記ブーツの内側甲皮の一側上端には四個の孔が成形されることによって、前記四個の孔を通過するワイヤにはワイヤ固定装置が設けられ、前記ワイヤが下端孔と後方孔の内側を通過して、前記下端孔と後方孔とを貫通するワイヤが足の甲締め付け台を牽引するようになっている。
【００１９】
前記ワイヤ固定装置は、円形の内側プレートと、該内側プレートに対して相対回転運動する円形の外側プレートとからなり、前記内側プレート内部には複数の回転ギアが設けられて、前記外側プレートを時計方向に回転させるとワイヤが内側プレート内部へ牽引されてワイヤが締め付けられ、且つ、外側プレートを内側プレートの外側に引張ると、前記回転ギアの回転が解除されワイヤが解ける。
【００２０】
前記ワイヤの外側には、ワイヤの摩擦抵抗を最小化するためにチューブがさらに設けられることが好ましい。
【００２１】
本発明の他の特徴によると、本発明は、ブーツの底をなす靴底と、ブーツの上端を形成してその前面は略Ｕ字状をなすブーツ甲皮縁と、前記靴底とブーツ甲皮縁との間に延長され、かつ外観を形成する外側甲皮と、足に密接する内側甲皮とからなるブーツ甲皮と、前記略Ｕ字状のブーツ甲皮縁の内側に設けられる足の甲保護甲皮と、前記足の甲保護甲皮の外側で前記ブーツ甲皮縁の間をジグザグに連結する締め紐から構成されるレジャースポーツ用ブーツにおいて、
一側は両側靴底の端に固定され、且つ、他側はリング部材を備える一組のバンド固定部と、所定長さでなされて、中間一側は前記リング部材を通過し、両端は前記ブーツ甲皮縁を貫通してブーツ甲皮の外側へ摺動可能であり、且つ、前記締め紐が前記両端を通過することができるよう設けられて、締め紐が引張られた時に外側に牽引される移動圧迫バンド部からなる。
【００２２】
前記バンド固定部は、一側がブーツ甲皮の下段部の端に固定され得る。
【００２３】
本発明のさらに他の特徴によると、本発明はブーツの底をなす靴底と、ブーツの上端を形成してその前面は略Ｕ字状をなすブーツ甲皮縁と、前記靴底とブーツ甲皮縁との間に延長されかつ外観を形成する外側甲皮と、足に密接する内側甲皮とからなるブーツ甲皮と、前記略Ｕ字状のブーツ甲皮縁の内側に設けられる足の甲保護甲皮と、前記足の甲保護甲皮の外側で前記ブーツ甲皮縁の間をジグザグに連結する締め紐から構成されるレジャースポーツ用ブーツにおいて、
一端は一側靴底の端に固定されて、他端はブーツ甲皮縁を貫通しブーツ甲皮の外側に摺動される所定長さの足の甲圧迫バンドと、一端は他側靴底の端に固定されて、他端は環状のリング形状をなしていて前記足の甲圧迫バンドが前記リングを通過する連結リング部材と、前記足の甲圧迫バンドの端部と中央一側とに結合部材がそれぞれ設けられる。該前記結合部材は、一組のベルクロテープであることが望ましい。
【００２４】
前記足の甲圧迫バンドは、一端が一側ブーツ甲皮の下端部のへりに固定され得る。
【００２５】
本発明のさらに他の特徴によると、本発明は、靴底と甲皮とからなるブーツにおいて、前記甲皮外側に設けられて、足の甲を靴底に向けて押圧する足の甲締め付けバンドと、該足の甲締め付けバンドを通過して、前記足の甲締め付けバンドを足の甲に向けて引き締めて、踵を靴底に確実に固定せしめるワイヤと、該ワイヤの両端に連結されて、前記ワイヤを選択的に引き締めたり、解除したりするワイヤ固定装置からなる。
【００２６】
前記足の甲締め付けバンドは、前記甲皮の内側に設けられることが望ましい。
【発明の効果】
【００２７】
前記のような構成をもつ本発明による踵を靴底に固定するレジャースポーツ用靴における足の甲締め付け装置によると、エッジ調節能力が向上される利点がある。
【発明を実施するための最良の形態】
【００２８】
以下、前記のような構成を持つ本発明による踵を靴底に固定するレジャースポーツ用靴における足の甲締め付け装置の望ましい実施例を添付の図面を参照としながら詳細に説明する。
【００２９】
図３には、本発明の一実施例によるスノーボード上に取り付けられたブーツと足の甲締め付け装置の構成が斜視図で示され、図４には本発明による踵を靴底に固定するブーツの構成が部分切開側面図で示されている。また、図５及び図６には本発明による踵を靴の底に固定するブーツの構成が部分切開斜視図で示されている。さらに、図７ａ及び図７ｂには本発明によるエッジ調節時、ブーツと踵との固定状態の変化を表す構成が使用状態図で示されている。
【００３０】
これら図面は、本発明によるスノーボード用ブーツを表したものである。スノーボード用ブーツ１００は、特定バインディングシステムによりそのサイズと形が決められるが、ここでは一般の形状を有するブーツを例えにして説明する。
【００３１】
図面らに示されたように、スノーボード用ブーツ１００は、バインダー１０４に結合され、図面に部分的に示されたスノーボード１０２の表面に取り付けられる。
【００３２】
前記ブーツ１００は、上下部にそれぞれ靴底１１０とブーツ甲皮縁１２０とが備われ、前記靴底１１０からブーツ甲皮縁１２０に亘ってブーツ甲皮１３０が延長されている。前記ブーツ甲皮１３０は、乗り手の足及び足首を安全に覆うよう形成される。
【００３３】
前記ブーツ甲皮１３０は、本皮、合成皮あるいはビニール製からなり、外観を形成する外側甲皮１３２と、ソフト繊維材からなりかつ足と接触する内側甲皮１３４とから構成され、場合によっては外側甲皮１３２と内側甲皮１３４との間に防水層やクッション層がさらに形成され得る。
【００３４】
前記ブーツ甲皮１３０は、締め紐１４０により乗り手の足を強固に固定する。この際、前記ブーツ甲皮１３０の前方にはブーツ甲皮縁１２０を境界とする溝が形成されて、ブーツ甲皮縁１２０を前方から見ると略Ｕ字形状をなすようにする。前記溝には、前記締め紐１４０を強固に締め付ける時、足の甲を保護するための足の甲保護甲皮１５０が設けられる。
【００３５】
前記ブーツ甲皮縁１２０には、前記締め紐１４０が通過できるような内装牽引部１２２が、図５及び図９に示されたように、ブーツ１００の長手方向にブーツ１００と一体に形成され、前記締め紐１４０が前記内装牽引部１２２を通過して外部に延長できる内装孔１２４が複数個形成される。
【００３６】
そして、乗り手の足首に対応するブーツ甲皮縁１２０の部分には、図４及び図９に示されたように、外側に突出される外装牽引部１２６が左右一組設けられ、該外装牽引部１２６には複数の外装孔１２８とが形成される。前記内装孔１２４及び外装孔１２８には締め紐１４０が通過され、前記締め紐１４０を締め付けることによって足首をさらに強固に固定できるようになる。
【００３７】
前記締め紐１４０は、前記足の甲保護甲皮１５０の外側にジグザグ形式に掛け渡され、該締め紐１４０は折り目を介して固定されうる。かつ、本発明の一実施例によると図３及び図４に示されたように、ボアーラッチングシステム（ｂｏａ  ｌａｔｃｈｉｎｇ  ｓｙｓｔｅｍ）１６０により締め紐を締め付けたり、解除させたりするようになっている。
【００３８】
前記ボアーラッチングシステム１６０は、前記足の甲保護甲皮１５０に取り付けられる円形の内側プレート１６２と、該内側プレート１６２に対して相対回転運動する円形の外側プレート１６４とからなり、前記内側プレート１６２の内部には、複数の回転ギア（図示せず）が設けられていて前記外側プレート１６４を時計方向に回転させると、締め紐１４０が内側プレート１６２の内部に引張られるようになり、前記ブーツ１００を強固に固定せしめる。
【００３９】
反対に、前記外側プレート１６４を前記内側プレート１６２に対して外側に向けて引張ると、前記回転ギア（図示せず）の回転及び逆回転防止が解除されて、締め紐１４０が解けるようになる。
【００４０】
本発明は、前記ブーツ１００の外部に設けられる前記足の甲保護甲皮１５０以外にも、前記ブーツ１００の内部で使用者の足の甲を締め付ける足の甲締め付け部２００がさらに設けられる。
【００４１】
前記足の甲締め付け部２００は、乗り手の足の甲上に位置し、前記足の甲を押圧する足の甲締め付け台２１０と、前記足の甲締め付け台２１０の一側に連結されて前記足の甲締め付け台２１０を引張ってくれるワイヤ２２０と、前記ワイヤ２２０の両端と連結されて前記ワイヤ２２０を選択的に固定解除するワイヤ固定具２３０からなる。
【００４２】
前記足の甲締め付け台２１０は、ほぼ乗り手の足の甲を覆う程のサイズと形状からなされ、図５に示されたように多角形状の足の甲締め付け台２１０には少なくとも４個以上の締め孔２１２が設けられ、ワイヤ２２０が貫通されたり、あるいは図６に示されたように足の甲締め付け台２１０の水平方向の両端にミシンをかけて、縫い目線２１４の内側にワイヤ２２０が通過されるようになっている。
【００４３】
前記締め孔２１２の外側には、前記ワイヤ２２０により締め孔２１２が変型できず、且つ、足の甲締め付け台２１０を強固に引き締められるようにするために環状のリベット２１６が設けられ得る。前記足の甲締め付け台２１０は、本皮やポリウレタンのような合成ビニールから製作され得るが、足の甲を楽に保護するためにはシリコーンからなることが好ましいのである。
【００４４】
図４に示されたように、前記ブーツ１００の靴底１１０には、左右を貫通する靴底孔２４０が左右に一組形成され、前記靴底１１０に隣接する内側甲皮１３４の一側には下端孔２４２が左右に一組設けられ、前記内側甲皮１３４の後方には後方孔２４４が左右に一組設けられ、且つ、前記内側甲皮１３４の一側上部には４個の上端孔（２４６ａ乃至２４６ｄ）が形成されている。前記上端孔２４６ｃ及び２４６ｄは外側甲皮１３２にも形成されている。
【００４５】
したがって、前記足の甲締め付け台２１０の締め孔２１２を貫通する一組のワイヤ２２０の一側は、下端孔２４２を通過し、且つ、他側は後方孔２４４を通過し、前記足の甲締め付け台２１０は靴底１１０に対して一定の傾斜角をもって設けられるため、足の甲を安定に保護することができる。
【００４６】
前記上端孔２４６ｃ、２４６ｄを貫通したワイヤ２２０には様々な締め付け装置が用いられるが、本発明のワイヤ固定具２３０としては前記ボアーラッチングシステム１６０にするのが、締め付けや解除において容易である。
【００４７】
前記ワイヤ２２０が設けられる外側甲皮１３２と内側甲皮１３４との間には、該ワイヤ２２０がその内部で滑らかに移動できるように図４の如くチューブ２２２が設けられ得る。前記チューブ２２２は、ブーツ甲皮１３０をワイヤ２２０から保護する役割を果し、且つ、ワイヤ２２０が内部で摺動される際に摩擦抵抗を最小化させる効果を奏する。
【００４８】
そして、前記ワイヤ固定具２３０をブーツ甲皮１３０の一側上端に備えることは、ブーツ１００の側面下端にはバインダー１０４が設けられ、且つ、乗り手が簡単にワイヤ固定具２３０を操作することができるように側面に設けられるのである。
【００４９】
従って、特定バインディングシステムによって様々なバインダー構造や形状とが決められるため、バインダー１０４がブーツ１００の側面の何処に設けられるかは確定し難いため、ワイヤ固定具２３０の位置もそれにあわせて変更でき得る。且つ、バインダー１０４の多様な構造や形状に応じてワイヤ固定具２３０の位置を自由に変更できるようにブーツ１００の側面に磁性を持つワイヤ固定具の安着部を複数個設けられ得る。
【００５０】
以下、前術した構成を持つ本発明の一実施例による踵を靴底に固定するレジャースポーツ用靴の足の甲締め付け装置の作用を簡単に説明する。
【００５１】
先ず、乗り手がボアーラッチングシステムを利用してブーツを履くことにおいて、ライナー１０６を先に履きかつ紐でライナー１０６を足に強固に締め付ける。又は、ライナー１０６をブーツ１００に先に挿入してから足をライナー１０６に取り入れる。
【００５２】
ライナー１０６を履いたまま、重ねてブーツ１００を履きボアーラッチングシステム１６０の外側プレート１６４を時計方向に回転すると、締め紐１４０が引張られる。
【００５３】
次に、ワイヤ固定具２３０を利用し、足の甲締め付け部２００を足首に固定せしめる。このために、乗り手はワイヤ固定具２３０を時計方向に回転させ、ワイヤ２２０がワイヤ固定具２３０の内側に向けて巻き付かれ、ワイヤ固定具２３０側へ引張られる。
【００５４】
ワイヤ２２０がワイヤ固定具２３０側に引張られると、下端孔２４２と後方孔２４４とを貫通するワイヤ２２０がさらに引き締めされると同時に、足の甲締め付け台２１０が乗り手の足の甲を靴底１１０側に向けて密接に押圧することによって、乗り手がスノーボード１０２を前方にエッジ調節する場合にも図７ａ及び７ｂのように踵が靴底から離れず、安定に密着できる。
【００５５】
図８には、本発明の他の実施例による踵を靴底に固定する足の甲締め付け装置の構成が部分切開斜視図で示され、図９には、本発明の他の実施例による踵を靴底に固定するブーツの構成が斜視図として示されている。
【００５６】
本発明の他の実施例によると、前記ブーツ甲皮縁１２０に形成された外装牽引部がブーツ１００に固定されず、ブーツ１００内外に摺動可能に設けられる。
【００５７】
本発明の他の実施例による足の甲締め付け部３００は、靴底１１０に固定される一組のバンド固定部３１０と、該バンド固定部３１０に支持されたままブーツ１００の外側に摺動される移動バンド部３２０からなる。
【００５８】
前記バンド固定部３１０の一側は、靴底１１０あるいは内側甲皮１３４の内側に固定され、且つ、バンド固定部３１０の他側はリング部材３１２を備え、前記移動バンド部３２０の両端に外装牽引部１２６を備え、所定長さで製作されかつ前記バンド固定部３１０のリング部材３１２を通過し、前記外装牽引部１２６はブーツ１００の外側に突出されかつ摺動される。
【００５９】
前記外装牽引部１２６は、締め紐１４０が通過し得るよう内側に外装孔１２８が形成されている。
【００６０】
以下、前記の構成を持つ本発明の他の実施例による踵を靴底に固定するレジャースポーツ用靴における足の甲締め付け装置の作用を添付図面を参照とし簡単に説明する。
【００６１】
締め紐１４０をボアーラッチングシステム１６０を用いて牽引する。乗り手が、ライナー１０６を履いてからブーツ１００を重ねて履き、外側プレート１６４を時計方向に回転させると、締め紐１４０は、ボアーラッチングシステム１６０の内側プレート１６２の内部に巻き付けられながら、両側締め紐１４０を同じ引張力で牽引する。
【００６２】
前記締め紐１４０が前記外装牽引部１２６の外装孔１２８を通過し、外装牽引部１２６を中心に向けて牽引すると、それにつれ移動バンド部３２０は外側に摺動される。
【００６３】
リング部材３１２を通過するように設けられた移動バンド部３２０が外側に摺動するようになると、一組のバンド固定部３１０のリング部材等３１２は靴底１１０側に引張られ、リング部材３１２等の間の距離が狭くなるにつれ、前記リング部材３１２等の間を通過した移動バンド部３２０は乗り手の足首を確実に圧迫し、乗り手の踵を靴底に強固に固定する。
【００６４】
図１０には、本発明のさらに他の実施例による踵を靴底に固定する足の甲締め付け装置の構成が部分切開斜視図で示されている。
【００６５】
本発明のさらに他の実施例による足の甲締め付け部４００は、靴底１１０もしくは内側甲皮１３４の一側面下端に固定され、所定長さを有する足の甲圧迫バンド４１０と、靴底１１０もしくは内側甲皮１３４の他側面下端に固定され、環状のリング形状をしていて前記足の甲圧迫バンド４１０が通過する連結リング部材４２０、そして前記足の甲圧迫バンド４１０を固定する結合部材４３０とからなる。
【００６６】
前記結合部材４３０は、ベルクロテープが用いられる。前記足の甲圧迫バンド４１０の端部と中央一側には、それぞれ雄ベルクロテープ４３２と雌ベルクロテープ４３４とが設けられて、前記雌雄一対のベルクロテープ４３０により足の甲圧迫バンド４１０が固定される。
【００６７】
前記雌雄一対のベルクロテープ４３２，４３４は相互に取り替えられる。且つ、本実施例では結合部材４３０にベルクロテープが用いられているが、必ずしもそうではなく、足の甲圧迫バンド４１０の着脱が容易なものであれば、スライドファスナーあるいはボタンなどが用いられる。
【００６８】
そして、踵を靴底に固定するレジャースポーツ用靴における足の甲締め付け装置はスノーボードのブーツのみに適用されるのではなく、登山靴やインラインスケート、そしてゴルフ靴などにも適用され得る。
【００６９】
図１１及び図１２には、本発明による踵を靴底に固定するゴルフ靴及び足の甲締め付け装置の構成が斜視図で示されている。即ち、図１１に示されたように前記足の甲固定装置がゴルフ靴に適用された場合である。
【００７０】
図１１によると、足の甲締め付け部５００は、使用者の足の甲に位置して足の甲を締め付ける足の甲圧迫バンド５１０と、該足の甲圧迫バンド５１０と連結されて足の甲圧迫バンド５１０を牽引するワイヤ５２０と、前記ワイヤ５２０の両端と連結されて前記ワイヤ５２０を選択的に固定解除するワイヤ固定具５３０からなる。そして、足の甲圧迫バンド５１０の内側には足の甲を保護するクッション部材が設けられ得る。
【００７１】
以上から、本発明は、体重移動と上下左右の足の動きとにより調節されるスノーボードエッジ調節がよく効くようにするために、ブーツの前側に設けられブーツを調節する締め紐以外に、ブーツ内側で足首を覆い踵が靴底の方に固定されるよう足の甲を押圧する足の甲締め付け台を設け、ワイヤ固定装置で足の甲締め付け台と連結されたワイヤを選択的に引張ったり、解除したりして足の甲締め付け台を簡単に着脱させる構成を技術的思想としなされていることが分かる。
【００７２】
前記のように、本発明の基本的な技術的思想の範囲内にて、当業界の通常の知識を有するものにおいては、他様々な変型がなされ得る。例えば、別度のワイヤとワイヤ固定装置とを利用せず、既存締め紐をそのまま用いることであって、一側はブーツの靴底両側端に固定され、且つ、他側はリング部材を備える一組のバンド固定部と、所定長さで製作されて中間一側は前記リング部材を通過し、両端はブーツ甲皮縁を貫通してブーツ甲皮の外側に摺動可能であり、前記締め紐が前記両端を通過することができるよう設けられ、締め紐が引張られた時外側に牽引される移動圧迫バンドからなされうる。
【００７３】
以上のように、本発明の構成によれば以下のような効果が期待できる。先ず、ブーツ内で足首を固定する固定帯を設け、該固定帯を簡単に引張ることによって、エッジ調節を安定に行うことができ、且つ、雪の斜面を滑降する時急速な回転や技など高度の技術を自由に具現できる効果が期待される。
【００７４】
また、踵が靴底から離れず、確実に固定できるため、足首や脹脛筋肉に負担を最小化させることができ、怪我の惧れや事故が起きた時にその状況に合わせた対処能力がさらに向上される効果をも期待され得る。
【００７５】
さらに、使用者が爪先に伝達しようとする力や感覚を無駄なく確実に伝達でき、且つ、使用者の技術を発揮することができるようにする効果をも奏する。
【図面の簡単な説明】
【００７６】
【図１】従来技術のスノーボード上に取り付けられたブーツの構成を示す斜視図
【図２ａ】従来のエッジ調節時、ブーツ内部における踵の固定状態の変化を示した部分切開側面図
【図２ｂ】従来のエッジ調節時、ブーツ内部における踵の固定状態の変化を示した部分切開側面図
【図３】本発明の一実施例によるスノーボード上に取り付けられたブーツと足の甲締め付け装置の構成を示す斜視図
【図４】本発明による踵を靴底に固定するブーツの構成を示す部分切開側面図
【図５】本発明による踵を靴底に固定するブーツの構成を示す部分切開斜視図
【図６】本発明による踵を靴底に固定するブーツの構成を示す部分切開斜視図
【図７ａ】本発明によるエッジ調節時、ブーツと踵の固定状態変化を表す使用状態図
【図７ｂ】本発明によるエッジ調節時、ブーツと踵の固定状態変化を表す使用状態図
【図８】本発明の他の実施例による踵を靴底に固定する足の甲締め装置の構成を示す部分切開斜視図
【図９】本発明の他の実施例による踵を靴底に固定するブーツの構成を示す斜視図
【図１０】本発明にさらに他の実施例による踵を靴底に固定する足の甲締め付け装置の構成を示す部分切開斜視図
【図１１】本発明による踵を靴底に固定するゴルフ靴及び足の甲締め装置の構成を示す斜視図
【図１２】本発明による踵を靴底に固定するゴルフ靴の足の甲締め付け装置の構成を示す斜視図
【符号の説明】
【００７７】
１００  ブーツ
１０２  スノーボード
１０４  バインダー
１０６  ライナー
１１０  靴底
１２０  ブーツ甲皮縁
１２２  内装牽引部
１２４  内装孔
１２６  外装牽引部
１２８  外装孔
１３０  ブーツ甲皮
１３２  外側甲皮
１３４  内側甲皮
１４０  締め紐
１５０  足の甲保護甲皮
１６０  ボアーラッチングシステム
１６２  内側プレート
１６４  外側プレート
２００、３００、４００  足の甲締め付け部
２１０  足の甲締め付け台
２１２  締め孔
２１４  縫い目線
２１６  リベット
２２０  ワイヤ
２２２  チューブ
２３０  ワイヤ固定具
２４０  靴底孔
２４２  下端孔
２４４  後方孔
２４６  上端孔
３１０  バンド固定部
３２０  移動バンド部
４１０  足の甲圧迫バンド
４２０  連結リング部材
４３０  結合部材
４３２、４３４  ベルクロテープ
【図１】
2006055571.tif 000003
【図２ａ】
2006055571.tif 000004
【図２ｂ】
2006055571.tif 000005
【図３】
2006055571.tif 000006
【図４】
2006055571.tif 000007
【図５】
2006055571.tif 000008
【図６】
2006055571.tif 000009
【図７ａ】
2006055571.tif 000010
【図７ｂ】
2006055571.tif 000011
【図８】
2006055571.tif 000012
【図９】
2006055571.tif 000013
【図１０】
2006055571.tif 000014
【図１１】
2006055571.tif 000015
【図１２】
2006055571.tif 000016